(57)【要約】【課題】長期間保存性能に優れた円筒形電池をコストアップを伴わずに製造する。【解決手段】有底円筒状の電池缶２の上方開口２５の端部２１に、円盤の周縁に上方に立設する壁面部１３が一体形成された封口ガスケット１０を介して端子板７が嵌着されてなる円筒形電池１の製造方法であって、電池缶の内面と壁面部の外面１５との接触領域２２に流動性を有するシール剤３０をリング状に塗布する工程と、ガスケットの内方に端子板を配置した封口体２０を電池缶の開口端部に圧入する圧入工程とを含み、圧入工程では、接触領域の下端２４から開口に向かって拡径してシール剤の上端位置３１および下端位置３２の内径がＣおよびＤの電池缶を用いるとともに、壁面部の上端１６および下端１７の外径をＡおよびＢとして、Ａ＞Ｂ、Ａ＞Ｃ、Ｂ＜Ｄの関係を満たしている。【選択図】  図３
2015176646.tif 000002
【特許請求の範囲】
【請求項１】
一方の電極を兼ねて上方に開口する有底円筒状の電池缶内に、発電要素が収納されるとともに、上方を底部とした皿状の他方の電極の端子板が絶縁性の樹脂からなる封口ガスケットを介して前記電池缶の開口端部に嵌着されて当該電池缶が密封されてなる円筒形電池の製造方法であって、
前記封口ガスケットは、円盤の周縁に上方に立設する壁面部が一体形成された形状を有し、
前記円筒形電池において、前記電池缶の内面で前記封口ガスケットの前記壁面部の外面と接触する領域を接触領域として、当該接触領域に流動性を有するシール剤をリング状に塗布するシール剤塗布工程と、前記壁面部で囲繞された前記封口ガスケットの内方に前記端子板を配置して封口体を構成するとともに、当該封口体を前記電池缶の開口端部に圧入する圧入工程とを含み、
前記圧入工程では、前記壁面部の上端の外径をＡ、下端の外径をＢとして、Ａ＞Ｂの封口ガスケットと、前記接触領域の下端から前記開口に向かって拡径する電池缶とを用いるとともに、前記シール剤の上端位置での前記電池缶の内径をＣ、当該シール剤の下端位置での前記電池缶の内径をＤとして、Ａ＞ＣかつＢ＜Ｄの関係を満している、
ことを特徴とする円筒形電池の製造方法。
【請求項２】
請求項１において、前記シール剤塗布工程では、前記圧入工程後も流動性を維持するシール剤を塗布することを特徴とする円筒形電池の製造方法。
【請求項３】
請求項１または２に記載の円筒形電池の製造方法によって製造された円筒形電池。
【発明の詳細な説明】
【技術分野】
【０００１】
この発明は円筒形電池の製造方法および円筒形電池に関する。具体的には、円筒形電池の製造過程において電池缶の開口を封口する技術に関する。
【背景技術】
【０００２】
アルカリ乾電池に代表される円筒形電池は、正負一方の極の集電体を兼ねる有底円筒状の電池缶内に発電要素を収納するともに、当該電池缶の開口を樹脂製の封口ガスケットを介して他方の極の端子板で封口することで製造される。
【０００３】
図１に円筒形電池の一例として円筒形アルカリ電池１を挙げる。図１に示した円筒形アルカリ電池はＬＲ６型であり、ここでは円筒軸５０の延長方向を縦方向としたときの縦断面を示している。この図に示したように、アルカリ電池１は、有底筒状の金属製電池缶（正極缶）２、環状に成形された正極合剤３、この正極合剤３の内側に配設されたセパレーター４、亜鉛合金を含んでセパレーター４の内側に充填されるゲル状の負極合剤（負極ゲル）５、この負極ゲル５中に挿入された負極集電子６、負極端子板７、ナイロンやポリオレフィンなどの樹脂からなる封口ガスケット１０を主な構成要素としている。そして、正極合剤３、セパレーター４、負極ゲル５が電解液の存在下でアルカリ乾電池１の発電要素を形成する。
【０００４】
アルカリ乾電池１において、電池缶２は電池ケースを兼ねるとともに、正極合剤３に直接接触することにより、正極集電体を兼ねている。そして、有底円筒状の電池缶２の底部を下方として、当該電池缶２には正極端子８が下方に向けて突出するように形成されている。
【０００５】
金属製の負極端子板７はフランジを有する皿を伏せた形状で、封口ガスケット１０とともに封口体２０を構成している。負極ゲル５中に挿入された棒状の負極集電子６は、その上端が皿状の負極端子板７の下面に溶接により立設固定されている。そして封口ガスケット１０の外周部が電池缶２の開口縁部と負極端子板７の周縁部との間に挟持された状態でかしめられていることで、電池缶２が密閉された状態で封口されている。
【０００６】
ここでアルカリ電池１の製造過程において電池缶２の開口を封口する工程について説明すると、電池缶２には、開口の僅かに下方に円筒状の電池缶の周囲を巡るビーディング部９が形成されており、負極集電子６と封口体２０（負極端子板７、封口ガスケット１０）はあらかじめ一体に組み合わせられている。封口工程では、負極集電子６と負極端子板７とともに一体化された封口ガスケット１０を電池缶２内に圧入し、当該封口ガスケット１０をこのビーディング部９を座にして載置する。この状態で、電池缶２において、開口からビーディング部９に至る領域（以下、開口端部）２１を絞り加工によって内方に縮径、圧縮するとともに開口縁端をカール加工する。それによって、電池缶２におけるビーディング部９から開口に至る開口端部２１にて封口ガスケット１０が負極端子板７と電池缶２の間に挟持された状態でかしめられ、電池缶２の開口が密閉される。
【０００７】
図２に、封口ガスケット１０の概略構造を縦断面図にして示した。当該図２では封口工程前の当初の封口ガスケット１０の形状を示しており、図２（Ａ）は縦断面図であり、（Ｂ）は平面図である。なお図２（Ｂ）では封口ガスケット１０を構成する各部位を異なるハッチングパターンによって示している。
【０００８】
図２に示したように、当初の封口ガスケット１０は、表面に同心円状の凹凸が形成された円盤の中心に負極集電子６が挿通される中空部１１を備えた円筒状のボス部１２と、円盤の外周にて上方に立設して当該円盤の縁を周回する壁面部１３とが一体的に形成された形状を有している。そして、ボス部１２の外周から円盤の周縁、すなわち壁面部１３の下端に至る凹凸のある膜状の部分１４が発電要素の収納空間を密閉しつつ正極缶２の内部を上下に仕切る隔壁として機能する。壁面部１３の外面１５は、電池缶２が封口された際に当該電池缶２の開口端部２１の内面に接触して電池缶を密閉する。
【０００９】
ところで、図１に示したアルカリ乾電池１など、円筒形の電池缶２の開口が封口ガスケット１０を介して封口板（負極端子板など）で封口されている円筒形電池では、より高い気密性を確保して、電池缶２の内圧上昇時に封口ガスケット１０と電池缶２の内面との接触部分から電解液が漏出しないように、封口ガスケットの壁面部１３の外面１５と電池缶２の内面との接触面にシール剤を介在させることがある。
【００１０】
シール剤を上記接触面に介在させるためには、まず、円筒形電池１の製造過程における封口工程で、封口体２０を電池缶２の内部に圧入する前に、正極缶２の内面において、封口されたときに封口ガスケット１０の壁面部１３の外面１５と接触する領域（以下、接触領域）にシール剤をリング状に塗布しておく。次いで、負極集電子６と負極端子板７とともに一体化された封口ガスケット１０を電池缶２に圧入する。それによってシール剤が接触領域に充填される。シール剤としては、例えば、ポリブテン、エポキシ樹脂、ポリブテンなどを主剤としてアスファルトや固形パラフィンを含む混合シール剤などが使用される。なおアルカリ電池の封口構造やその封口構造に用いられるシール剤などについては以下の特許文献１などに記載されている。
【先行技術文献】
【特許文献】
【００１１】
【特許文献１】特開２００９−２３１２３７号公報
【発明の概要】
【発明が解決しようとする課題】
【００１２】
従来、各種電子機器や電気機器に使用している電池は、使用にともなって容量が少なくなり、所謂「電池切れ」となった時点で新品のものと交換するという形態で利用されるのが一般的であった。このような一般的な利用形であれば、電池を買い置きする場合でもその電池の保存期間は１〜２年程度で十分であった。
【００１３】
しかし近年では、大災害の発生に備え、電池を非常用の食料などとともに長期に亘って「備蓄」する場合が多くなりつつある。ところが備蓄されている非常用食料などは、その保存期間が５〜１０年程度であり、備蓄以外の一般用途に使用される電池の一般的な保存期間よりも長い。なかには２５年もの長期間に亘って品質を保証している非常用食料もある。そのため、備蓄用の電池は他の備蓄用品とともに長期間に亘って、言わば「放置」される可能性が高い。
【００１４】
そこで本発明者が、極めて長い期間に亘る電池の保存性能について検討したところ、電池の気密性能は、その電池の製造過程で塗布したシール剤の量に見合う期間に亘って維持されていないということが判明した。確かに備蓄された電池を定期的に交換するという方法もあるが、これでは廃棄物を多量に発生させることになり、環境に対する負荷が大きい。備蓄に掛かる費用も増大する。したがって、電池には極めて長い期間（例えば、１０年以上）に亘って保存しても液漏れなどの劣化が無いことが求められる。もちろん長期保存性能を達成するために電池自体の製造コストが嵩めば備蓄の普及促進を妨げることになる。
【００１５】
そこで本発明の主な目的は、極めて長い期間に亘って保存が可能な円筒形電池を大きなコストアップを伴わずに製造できる方法を提供することにある。
【課題を解決するための手段】
【００１６】
上記目的を達成するための本発明は、一方の電極を兼ねて上方に開口する有底円筒状の電池缶内に、発電要素が収納されるとともに、上方を底部とした皿状の他方の電極の端子板が絶縁性の樹脂からなる封口ガスケットを介して前記電池缶の開口端部に嵌着されて当該電池缶が密封されてなる円筒形電池の製造方法であって、
前記封口ガスケットは、円盤の周縁に上方に立設する壁面部が一体形成された形状を有し、
前記円筒形電池において、前記電池缶の内面で前記封口ガスケットの前記壁面部の外面と接触する領域を接触領域として、当該接触領域に流動性を有するシール剤をリング状に塗布するシール剤塗布工程と、前記壁面部で囲繞された前記封口ガスケットの内方に前記端子板を配置して封口体を構成するとともに、当該封口体を前記電池缶の開口端部に圧入する圧入工程とを含み、
前記圧入工程では、前記壁面部の上端の外径をＡ、下端の外径をＢとして、Ａ＞Ｂの封口ガスケットと、前記接触領域の下端から前記開口に向かって拡径する電池缶とを用いるとともに、前記シール剤の上端位置での前記電池缶の内径をＣ、当該シール剤の下端位置での前記電池缶の内径をＤとして、Ａ＞ＣかつＢ＜Ｄの関係を満している、
ことを特徴とする円筒形電池の製造方法としている。
【００１７】
前記シール剤塗布工程では、前記圧入工程後も流動性を維持するシール剤を塗布することを特徴とする円筒形電池の製造方法としてもよい。また本発明は、上記円筒形電池の製造方法によって製造された円筒形電池にも及んでいる。
【発明の効果】
【００１８】
本発明に係る円筒形電池の製造方法によれば、極めて長い期間に亘って保存できる円筒形電池を大きなコストアップを伴わずに製造することができる。またその方法を用いて製造した円筒形電池は、安価で優れた長期間保存性能を備えている。
【図面の簡単な説明】
【００１９】
【図１】円筒形電池の一例である円筒形アルカリ乾電池の構造を示す図である。
【図２】円筒形アルカリ乾電池を構成する封口ガスケットの構造を示す図である。
【図３】本発明の実施例に係る製造方法において使用される封口ガスケットと電池缶における各部位のサイズを示す図である。
【図４】円筒形アルカリ乾電池に対するヒートサイクル試験の概要を示す図である。
【発明を実施するための形態】
【００２０】
＝＝＝シール剤による気密効果について＝＝＝
上述したように、封口ガスケットの壁面部外面と電池缶の内面は、より高い気密性を確保するためにシール剤を介在させた状態で接触させているが、円筒形電池の製造時に塗布したシール剤の量に見合う期間に亘って気密性が維持されないという問題がある。そこで本発明者がこの問題について検討したところ、封口工程において封口ガスケットを電池缶の開口に圧入していることに着目してみた。確かに、封口ガスケットはそれ自体で電池缶の開口を密閉する機能を担っていることから、製造過程において封口ガスケットを電池缶に圧入することが必須の条件となっている。しかし本発明者は、この圧入に際して電池缶の内面に塗布されているシール剤の多くが電池缶の下方に掻き落とされてしまい、塗布した量のシール剤に見合う気密効果が得らないのではないかと考えた。そして本発明は、このような考察を出発点として鋭意研究を重ねることで想到したものである。
＝＝＝実施例について＝＝＝
本発明の実施例に係る円筒形電池の製造方法として、図１に示したＬＲ６型の円筒形アルカリ乾電池（以下、電池）の製造方法を挙げる。実施例に係る製造方法ではその手順をほとんど変更することなく、封口ガスケットのサイズと、電池缶の開口端部においてシール剤を塗布する領域におけるサイズとの相対関係を最適化することで電池の長期保存性能を向上させている。
【００２１】
以下に添付図面を用いて本発明の実施例に係る製造方法について説明する。なお、以下の説明に用いた図面において、同一または類似の部分に同一の符号を付して重複する説明を省略することがある。図面によっては説明に際して不要な符号を省略することもある。
【００２２】
図３は組立前の図１に示した電池における電池缶２と封口ガスケット１０のサイズを示す概略図である。当該図３は、電池１の製造過程において電池缶２に封口ガスケット１０を含む封口体２０を組み付ける前の状態を縦断面図にして示しており、図３（Ａ）は封口ガスケット１０の縦断面図であり、（Ｂ）は電池缶２の縦断面図である。以下、当該図３と先の図１を用いて本実施例に係る電池の製造方法について説明する。
【００２３】
図３（Ａ）に示したように、封口ガスケット１０は図２に示した従来の製造方法において使用される封口ガスケット１０と同様に、中心に中空円筒状のボス部１２を備えて隔壁として機能する円盤状の部分１４の外周に上方に立設する壁面部１３が一体形成された形状を有している。そして、本実施例の製造方法では、封口ガスケット１０のサイズとして壁面部１３の上端１６における外径Ａと壁面部１３の下端１７における外径Ｂを定義している。
【００２４】
電池缶２については、開口端部２１は従来の製造方法ではほぼ上下に亘って同じ内径を有しており、ビーディング部９を形成した場合はその形成時にビーディング部９から開口２５に向かって若干拡径することが知られている。しかし本実施例の製造方法では、図３（Ｂ）に示したように、ビーディング部９の有無に拘わらず製造後の電池１において、少なくとも接触領域２３の下端２４から開口２５までは、上方に向かって拡径している電池缶２を用いている。そして、電池缶２の内面２２において、封口ガスケット１０との接触領域２３中にある高さ位置に、シール剤３０が電池缶２の内周を巡るようにリング状に塗布されている。そして本実施例の製造方法では、電池缶２のサイズとして、このシール剤３０が塗布されている領域の上端３１での内径Ｃと、当該領域の下端３２での内径Ｄを定義している。
＝＝＝サンプル＝＝＝
本実施例に係る電池１の製造方法を評価するために、上記Ａ〜Ｄの大小関係やシール剤３０の種類が異なる各種電池１をサンプルとして作製し、各サンプルについて、長期保存性能を評価するために高温多湿環境下での保存試験（以下、加速劣化試験）、およびヒートサイクル試験を行った。また、電池１の長期保存性能が優れていても、外観に問題があれば製品として販売する際に問題となるため、外観試験として、電池１を組み立てた直後の初期状態でシール剤３０の漏れがあるか否か目視により検査した。
【００２５】
これらの試験について、外観試験は、電池１の製造過程において封口ガスケット１０を電池缶２に圧入することに起因してシール剤３０が電池缶２の外への漏れ出したか否かを目視により検査することで行った。加速劣化試験は、温度６０℃相対湿度９０％ＲＨの環境下で１００日間サンプルを放置した後に封口ガスケット１０と電池缶２との接触領域２３を伝って電解液が漏出（液漏れ）しているか否かを目視により確認し、液漏れしたサンプルを不合格とした。
【００２６】
ヒートサイクル試験は、所定の規則で温度を経時変化させる１サイクル分の温度昇降操作を所定サイクル行ったのち、さらに常温で１ヶ月放置することで行った。具体的には、図４に示したように、サンプルの周囲温度を２０℃から７０℃まで３０分掛けて昇温したのち、その７０℃の温度を４時間（ｈ）維持する。その後３０分（ｍｉｎ）掛けて２０℃まで降温させ、その２０℃の温度を２時間維持した。さらに３０分掛けて−２０℃まで冷却し、−２０℃の温度下に４時間放置した。次いで３０分掛けて初期状態の２０℃まで昇温し、以上の温度昇降操作を１サイクル分とした。そして、この１サイクル分の試験を４０サイクル行った後、常温で１ヶ月間サンプルを放置するとともに、常温放置後に液漏れの有無を目視により確認した。このヒートサイクル試験においても液漏れがあったサンプルを不合格とした。
【００２７】
なお各サンプルは、上記各試験について１００個ずつ用意した。すなわち各サンプルについて３００個の個体を用意した。また各サンプルは、上記各サイズについて、封口ガスケット１０および電池缶２のサイズがＡ≧ＢおよびＣ＞Ｄとなる条件を満たすとともに、封口ガスケット１０と電池缶２との相対的なサイズについては、封口ガスケット１０が電池缶２に必ず圧入されるように設定されている。すなわちＡ＞Ｄ、Ｂ＞Ｄのいずれかの条件を満たしている。すなわち、Ａ≧ＢかつＣ＞ＤかつＡ＞Ｄ、あるいはＡ≧ＢかつＣ＞ＤかつＢ＞Ｄが必須条件となる。例えば、Ｂ＜Ｄである場合はＡ＞Ｄが満たされていることになる。
【００２８】
以下の表１に各サンプルの製造条件と上記検査や試験の結果を示した。
【００２９】
【表１】
2015176646.tif 000003
表１では上記Ａ〜Ｄの相互の大小関係と使用したシール剤が製造条件として示されている。なお表１には上記必須条件を記載していない。また表１には各検査や試験の結果として、各検査と試験毎に用意した各サンプルにおける１００個の個体の内、不合格となった個体数が示されている。まず表１において、サンプル１、２、９、１２は封口ガスケット１０の壁面部１３の上端と下端が同じ外径（Ａ＝Ｂ）であり、従来の製造方法で用いる封口ガスケット１０と同じである。
【００３０】
表１において、サンプル１〜８は、シール剤３０として圧入後も流動性を維持するポリブテンあるいはエポキシ樹脂を用いたサンプルであり、まずサンプル１〜８における試験結果を見ると、Ａ＜Ｃとなるサンプル２、４、６では、加速劣化試験とヒートサイクル試験で不合格となった固体が発生しなかった反面、外観試験において不合格となった固体が見られた。これは、接触領域２３におけるシール剤３０の上端３１での電池缶内径Ｃが封口ガスケット１０における壁面部１３の上端１６での外径Ａよりも大きいため、壁面部１３の上端側が当該壁面部１３の外面１５と電池缶２の内面２２とが接触せず、壁面部１３の上端側からシール剤３０が漏れ出したものと考えられる。なお、シール剤３０は下方に掻き落とされずに十分な量が残留するため、加速劣化試験とヒートサイクル試験では不合格となった個体が発生しなかった。
【００３１】
またサンプル３、５はＢ＞Ｃであり、サンプル１もＡ＝ＢであることからＢ＞Ｃである。したがってサンプル１、３、５では、封口ガスケット１０における壁面部１３の下端１７がシール剤３０の上端位置３１にて圧入されることになる。そのためサンプル１、３、５では、シール剤３０が下方に掻き落とされてしまい、加速劣化試験やヒートサイクル試験において不合格となった個体が多く発生した。
【００３２】
そして、サンプル７、８は、シール剤３０の種類が異なっているだけで、双方ともＡ＞Ｂ、Ａ＞Ｃ、Ｂ＜Ｄの関係を満たしている。そしてこのサンプル７、８では全ての固体が外観試験、加速劣化試験、およびヒートサイクル試験の全てに合格した。これは、サンプル７、８ではＢ＜Ｄにより、封口ガスケット１０における壁面部１３の下端１７がシール剤３０の上端位置３１では圧入されず、Ａ＞Ｃの関係によって封口ガスケット１０における壁面部１３の上端１６側がシール剤３０の上端位置３１で圧入されているとともに、先のＢ＜Ｄの関係によりシール剤３０が下方に掻き落とされないためである。すなわち、流動性を永年に亘って維持するシール剤３０を用いるとともに、Ａ＞Ｂ、Ａ＞Ｃ、Ｂ＜Ｄの関係を満たしたサンプル７、８では極めて長期に亘る保存性能を備えて美観にも優れている。
【００３３】
つぎに、サンプル９〜１４における試験結果について考察してみる。サンプル９〜１４ではシール剤３０がサンプル１〜８とは異なり、当初は流動性があるものの経時変化により固化するアスファルトを用いている。そして、サンプル９〜１１では、アスファルトが固化した後に封口ガスケット１０を電池缶２に圧入している。この場合、封口ガスケット１０の外径（Ａ、Ｂ）と電池缶２の内径（Ｃ、Ｄ）の関係がサンプル７，８と同じように最適な条件（Ａ＞Ｂ、Ａ＞Ｃ、Ｂ＜Ｄ）に設定されているサンプル１１であっても、ヒートサイクル試験で不合格となったサンプルが１００個中３６個も出現した。これは、封口ガスケット１０を電池缶２に圧入する時点ですでにシール剤３０が固化しているため固化したシール剤３０によって封口ガスケット１０と電池缶２とが十分に密着できなかったためと思われる。もちろん、封口ガスケット１０と電池缶２との相対的なサイズが最適条件にないサンプル９、１０では、作製した１００個の固体の半数近くが不合格となった。なお、サンプル９〜１１では封口ガスケット１０を圧入する時点でシール剤３０が固化しているため、外観試験は全数合格となった。
【００３４】
一方、同じアスファルトをシール剤３０として使用しても、封口ガスケット１０を電池缶２に圧入した後にそのシール剤３０を固化させたサンプル１２〜１４における試験結果を見てみると、サンプル２、４、６と同様にＡ＜Ｃとなるサンプル１２、１３では外観試験において不合格となる固体が発生した。またサンプル１２、１３では、ヒートサイクル試験において不合格となった固体数がサンプル９、１０に対して１／３〜１／４程度に減少したものの、依然として１０％以上（サンプル１２：１３％、サンプル１３：１１％）の固体が不合格となった。なお、ヒートサイクル試験では、サンプル１２で１３％、サンプル１３で１１％の固体が不合格となった。一方、シール剤３０のみが異なるサンプル２、４、６ではヒートサイクル試験で不合格となった固体は発生していなかった。
【００３５】
一方、封口ガスケット１０の外径（Ａ、Ｂ）と電池缶の内径（Ｃ、Ｄ）の関係が上記最適条件となるサンプル１４では、ヒートサイクル試験において６個の固体が不合格となったものの、その固体数はサンプル１２や１３の１／２程度であり、サンプル１１に対しては１／６にまで減少しており、上記最適条件を満たした上で、シール剤３０が少なくとも封口ガスケット１０の圧入時において流動性を有していれば、長期保存性能が向上することが確認できた。
【００３６】
なお、ヒートサイクル試験で不合格となった個体がサンプル１２〜１４において発生したのは、これらのサンプルに用いられたシール剤３０がサンプル２，４、６、７、８に使用されたシール剤３０とは異なり、時間経過とともに固化していることに起因する。すなわち、急激な温度変化によって電池缶２内圧が増減し、電池缶２はその内圧の変化によって変形する。そして、シール剤３０は製造後の電池１内では固化しているため、電池缶２の変形に対してシール剤３０の形状が追従できず、結果として封口ガスケット１０と電池缶２との密着状態が維持されなかったためと思われる。
【００３７】
以上より、円筒形電池の製造方法では、封口ガスケット１０を電池缶２に圧入する工程では、上記Ａ〜ＤがＡ＞Ｂ、Ａ＞Ｃ、Ｂ＜Ｄの関係を全て満たしているともに、シール剤３０が当該圧入工程において流動性を有していればよいことが確認された。そして、圧入後も流動性を維持し続けるシール剤３０を用いればより好ましいこともわかった。
【００３８】
このように本実施例に係る製造方法で製造された電池１では、封口ガスケット１０における所定の部位の外径（Ａ、Ｂ）と電池缶２における所定の部位の内径（Ｃ、Ｄ）を所定の関係にしておくだけで長期間に亘って優れた気密性能を維持することができる。もちろん、樹脂の一体成形品からなる封口ガスケット１０や周知のプレス加工技術によって作製される電池缶２は、専用の製造設備を用いることなく形状変更にも柔軟に対応することができる。特殊なシール剤を用いたり特殊な製造工程を採用したりすることもない。しがたって、優れた長期保存性能を大きなコストアップを伴わずに実現させることができる。
＝＝＝その他の実施例＝＝＝
上記実施例では本発明に係る製造方法の対象として円筒形アルカリ乾電池を挙げたが、円筒形電池はアルカリ乾電池に限るものではなく、一方の電極を兼ねて上方に開口する有底円筒状の電池缶内に、発電要素が収納されるとともに、上方を底部とした皿状の他方の電極の端子板が絶縁性の樹脂からなる封口ガスケットを介して前記電池缶の開口端部に嵌着されて当該電池缶が密封されてなる円筒形電池であれば、どのようなものであってもよい。
【産業上の利用可能性】
【００３９】
本発明は円筒形アルカリ乾電池の製造方法に適用することができる。
【符号の説明】
【００４０】
１  円筒形電池（円筒形アルカリ乾電池）、２  電池缶（正極缶）、３  正極合剤、
４  セパレーター、５  負極ゲル、６  負極集電子、７  負極端子板、８  正極端子、
９  ビーディング部、１０  封口ガスケット、１２  ボス部、１３  壁面部、
１４  隔壁部、１５  壁面部の外面、２０  封口体、２１  電池缶の開口端部、
２２  電池缶内面、
２３  電池缶内面と封口ガスケットの壁面部との対向領域（接触領域）、
２５  電池缶の開口、３０  シール剤、３１  シール剤の上端位置、
３２  シール剤の下端位置、Ａ  壁面部上端の外径、Ｂ  壁面部下端の外径、
Ｃ  シール剤の上端位置での電池缶内径、Ｄ  シール剤の下端位置での電池缶内径
【図１】
2015176646.tif 000004
【図２】
2015176646.tif 000005
【図３】
2015176646.tif 000006
【図４】
2015176646.tif 000007